(57)【特許請求の範囲】
【請求項１】
尾端に作動子が接続された複数本の筆記体が軸筒内に前後動可能に収容され、これらの作動子の１つにはクリップが固定され、軸筒の窓孔から径方向に突出した作動子の操作部ないしクリップをスライドすると筆記体のペン体が軸筒の先端開口から選択的に突出して筆記可能になる複式筆記具において、
前記クリップの尾端部に第１空所が形成されるとともに、該第１空所の先端側に第２空所が形成され、該第１空所と第２空所の間のクリップ裏面には係止凹部が形成され、第２空所側壁の先端側には一対の対向する縦リブが形成され、
前記クリップ固定用作動子の軸筒の窓孔から突出する接続部の尾端に係止突部が形成されるとともに、該接続部の先端には、両側面に縦溝が形成された係止突出部が形成され、
前記クリップ固定用作動子の係止突部および係止突出部をクリップの第１空所と第２空所にそれぞれ嵌め込み、クリップ固定用作動子に対してクリップを先端側にスライドさせると、該係止突部がクリップの係止凹部に係合するとともに、係止突出部の縦溝にクリップの縦リブが嵌まり込んでクリップとクリップ固定用作動子が固定されることを特徴とする複式筆記具。
【発明の詳細な説明】
【技術分野】
【０００１】
本発明は、軸筒内に複数の筆記体が収容され、筆記体のペン体を選択的に突出させて筆記する複式筆記具に関する。
【背景技術】
【０００２】
尾端に作動子が接続された複数本の筆記体が軸筒内に前後動可能に収容され、軸筒の窓孔から径方向に突出した作動子の操作部をスライドすると筆記体のペン体が軸筒の先端開口から突出するスライド式の複式筆記具は、簡単な構造で軸筒内に３本以上のボールペンやシャープペンシルの筆記体を収容することができ、また簡単な操作で筆記体のペン体を選択的に軸筒の先端開口から突出することができるので数多く実用化されている。
【特許文献１】特開平１１−２０３８０号公報
【発明の開示】
【発明が解決しようとする課題】
【０００３】
かかるスライド式の複式筆記具は、筆記体の尾端に接続された作動子の操作部を軸筒の窓孔から径方向に突出させるために、収容した筆記体の数と等しい窓孔を軸筒の円周面に設ける必要があるが、クリップが軸筒に固定されたものにおいては、クリップの部分を除いた軸筒の円周面に窓孔を設けることになる。しかし最近ではボールペンの多色化が進み、５本や６本の筆記体を収容したものも実用化されているが、筆記体の数が多くなると窓孔を設けるための中心角度が小さくなって隣接する作動子の操作部が接近するので、操作部をスライドするときに、指先が他の操作部に接触して操作しにくくなる。このため、１の作動子にクリップを固定してクリップに作動子の操作部の機能を持たせ、軸筒の円周面を有効に利用する複式筆記具が実用化されている。
【０００４】
クリップを作動子に固定する複式筆記具においては、その固定構造が簡単であって容易に固定することができ、かつ一旦固定するとがたつくことがなくて確実に固定されることが必要であるが、これらの要件を十分に満たすものはまだ実用化されていないのが実情である。そこで本発明は、これらの要件を十分に満たすスライド式の複式筆記具を提供することを目的とする。
【課題を解決するための手段】
【０００５】
かかる目的を達成するために、本発明は、尾端に作動子が接続された複数本の筆記体が軸筒内に前後動可能に収容され、これらの作動子の１つにはクリップが固定され、軸筒の窓孔から径方向に突出した作動子の操作部ないしクリップをスライドすると筆記体のペン体が軸筒の先端開口から選択的に突出して筆記可能になる複式筆記具において、クリップの尾端部に第１空所を形成するとともに、この第１空所の先端側に第２空所を形成し、第１空所と第２空所の間のクリップ裏面に係止凹部を形成し、第２空所側壁の先端側には一対の対向する縦リブを形成し、クリップ固定用作動子の軸筒の窓孔から突出する接続部の尾端に係止突部を形成するとともに、この接続部の先端には、両側面に縦溝を形成した係止突出部を形成し、クリップ固定用作動子の係止突部および係止突出部をクリップの第１空所と第２空所にそれぞれ嵌め込み、クリップ固定用作動子に対してクリップを先端側にスライドさせると、係止突部がクリップの係止凹部に係合するとともに、係止突出部の縦溝にクリップの縦リブが嵌まり込んでクリップとクリップ固定用作動子が固定されるようにする。
【発明の効果】
【０００６】
クリップをクリップ固定用作動子に固定するので、クリップがこの作動子の操作部の機能も持ち、軸筒の円周面を有効に利用できて５〜６本の筆記体を軸筒に収容できるが、クリップ固定用作動子の係止突部および係止突出部をクリップの第１空所と第２空所にそれぞれ嵌め込み、クリップ固定用作動子に対してクリップを先端側にスライドさせるのみで固定できるので構造が簡単であるとともに固定作業が極めて容易である。そして、クリップ固定用作動子の係止突部がクリップの係止凹部に係合するとともに、係止突出部の縦溝にクリップの縦リブが嵌まり込んでいるので、がたつくことがなく確実に固定することができる。
【発明を実施するための最良の形態】
【０００７】
図１は１の作動子にクリップを固定したスライド式の複式筆記具を示すが、図１において、軸筒１の先端には先口２が螺着され、尾端には尾栓７が嵌着されている。また、軸筒１の尾端部には軸筒１内に収容された筆記体３の数と同数の窓孔１１が同一円周上に等間隔で形成されている。筆記体３は例えば６本のボールペンレフィールであり、リターンスプリング８にて尾端側に弾発された状態で同心円状に前後動可能に収容されている。
【０００８】
筆記体３の尾端にはそれぞれ作動子４が接続されており、作動子４の１つがクリップ固定用作動子５である。作動子４の背面には作動部４２が形成され、正面には操作部４１が形成されており、操作部４１が軸筒１の窓孔１１から径方向に突出している。また、クリップ固定用作動子５の背面には作動部４２と同じ構造の作動部５５が形成されており、正面に形成された接続部５１が窓孔１１から突出している。そして、その固定構造を後述するが、接続部５１にはクリップ６が固定されいる。したがって、クリップ６が作動子４の操作部４１と同じ役目をしている。
【０００９】
操作部４１ないしクリップ６を指先で先端側にスライドさせると筆記体３のペン体３１が先口２の先端開口から突出するとともに、作動部４２ないし作動部５５が軸筒１内の係止段部（図示せず）に係合して筆記可能になる。そして、この状態から他の操作部４１ないしクリップ６を指先で先端側にスライドさせると、作動部４２ないし作動部５５が前進位置にある作動部４２ないし作動部５５と干渉してこれを径方向に変位させるので、軸筒１の係止段部との係合が解除され、リターンスプリング８の弾発力により先端開口２１から突出していたペン体３１が先口２内に没入する。以上の作用はスライド式複式筆記具として周知のものである。
【００１０】
クリップ固定用作動子５は合成樹脂で成形されており、図２に示すように、その先端の円柱部５６が筆記体３の尾端開口に嵌着されて接続される。円柱部５６の尾端側には、リターンスプリング８を受けるばね受け部５７が形成されている。クリップ固定用作動子５の背面には、前述のとおり、作動部５５形成され、正面の突出部分が接続部５１である。そして、接続部５１の尾端部には係止突起５２が形成されている。係止突起５２の先端側は傾斜面になっている。また、接続部５１の先端に係止突出部５３が突設されており、係止突出部５３の両側面には縦溝５４が形成されている。
【００１１】
合成樹脂で成形されたクリップ６の尾端部には、図３に示すように、貫通孔である第１空所６１が形成され、第１空所６１の先端側に同じく貫通孔である第２空所６２が形成されている。そして、第１空所６１と第２空所６２の間の裏面には係止凹部６３が形成されており、第２空所６２の両側壁面の先端部には一対の縦リブ６４が対向して形成されている。縦リブ６４の幅はクリップ固定用作動子５の縦溝５４の幅に等して縦リブ６４が縦溝５４に嵌り込めるようになっており、また、第２空所６２の縦リブ６４が形成されていない尾端側の部分はクリップ固定用作動子５の係止突出部５３が入り込める大きさになっている。なお、第１空所６１と第２空所６２は貫通孔である必要はなく、クリップ６の裏面から見て有底の凹部であってもよい。
【００１２】
図４はクリップ６をクリップ固定用作動子５に固定する操作の説明図であるが、先ず、（Ａ）に示すように、クリップ固定用作動子５の係止突出部５３をクリップ６の第２空所６２の尾端側に嵌め込み、縦リブ６４と縦溝５４の位相を合わせる。このとき、係止突起５２は第１空所６１内に位置している。そして、クリップ６をクリップ固定用作動子５に対してスライドさせると、（Ｂ）に示すように、縦リブ６４が縦溝５４内に入り込み、更に（Ｃ）では、クリップ６が僅かに弾性変形して係止突起５２が係止凹部６３の尾端側の壁に乗り上げ、（Ｄ）に示すように、係止突起５２が係止凹部６３に係合すると組みつけが完了する。このように、組み付け操作は非常に簡単である。
【００１３】
図５はクリップ６をクリップ固定用作動子５に固定した状態を示すが、縦リブ６４が縦溝５４に嵌り込んで係合して係止突出部５３の先端面５３ａが第２空所６２の先端壁６２ａに当接し、かつ係止凹部６３に係合した係止突起５２が係止凹部６３の尾端壁６３ａにほぼ当接している。したがって、クリップ６は上下方向にがたつくことがなく、また、縦リブ６４が縦溝５４に嵌り込んで係合しているので、クリップ６がクリップ固定用作動子５から離間する方向にがたついたり、クリップ固定用作動子５に対して回転することもなく、しっかりと確実に固定することかできる。
【図面の簡単な説明】
【００１４】
【図１】複式筆記具の一部断面図である。
【図２】（ａ）はクリップ固定用作動子の平面図、（ｂ）は正面図、（ｃ）はＡ−Ａ線における断面図である。
【図３】（ａ）はクリップの正面図、（ｂ）は断面図である。
【図４】クリップと作動子の固定の過程説明図である。
【図５】（ａ）はクリップと作動子を固定した状態の一部断面図、（ｂ）はＢ−Ｂ線における断面図である。
【符号の説明】
【００１５】
１    軸筒
１１    窓孔
２    先口
２１    先端開口
３    筆記体
３１    ペン体
４    作動子
４１    操作部
４２    作動部
５    クリップ固定用作動子
５１    接続部
５２    係止突起
５３    係止突出部
５４    縦溝
５５    作動部
６    クリップ
６１    第１空所
６２    第２空所
６３    係止凹部
６４    縦リブ
７    尾栓
８    リターンスプリング
【図１】
0004660839.tif 000002
【図２】
0004660839.tif 000003
【図３】
0004660839.tif 000004
【図４】
0004660839.tif 000005
【図５】
0004660839.tif 000006